(57)【要約】【課題】操作が簡単で、かつ容易に内容物を噴射させることができるエアゾール製品を提供する。【解決手段】容器本体および該容器本体の開口部に固着されるエアゾールバルブからなるエアゾール容器の内部に内容物が充填されているエアゾール製品であって、前記エアゾール容器を振ることにより生じる慣性力により、前記エアゾールバルブを開放させる開放手段を備えている。【選択図】　　　　図１
2004050089.tif 000002
【特許請求の範囲】
【請求項１】
容器本体および該容器本体の開口部に固着されるエアゾールバルブからなるエアゾール容器の内部に内容物が充填されているエアゾール製品であって、前記エアゾール容器を振ることにより生じる慣性力により、前記エアゾールバルブを開放させる開放手段を備えてなるエアゾール製品。
【請求項２】
前記開放手段が前記容器本体の軸方向に移動可能な移動部材と該移動部材に連動して作動する作動部材とからなる請求項１記載のエアゾール製品。
【請求項３】
前記作動部材が前記エアゾールバルブのステムに嵌着され、外周に係合部が形成される噴射部材であり、前記移動部材が該噴射部材に外装されるリング部材である請求項２記載のエアゾール製品。
【請求項４】
前記移動部材を容器本体の軸方向に移動可能となるように収納する保護カバーを備えている請求項３記載のエアゾール製品。
【請求項５】
前記移動部材が前記エアゾール容器の内部に配置されるリング部材であるとともに、前記作動部材が前記エアゾールバルブのハウジングから該エアゾール容器の底部まで垂下され、外周に係合部が形成されている弁棒である請求項２記載のエアゾール製品。
【請求項６】
前記作動部材が前記エアゾールバルブのステムに連結して垂下される延長ステム部であるとともに、前記移動部材が該延長ステム部に外装される円筒部材である請求項２記載のエアゾール製品。
【請求項７】
前記エアゾールバルブのハウジングの下部に前記延長ステム部に外装される外筒が固着されるとともに、前記円筒部材の上部位置および下部位置にそれぞれスプリングが配置されてなる請求項６記載のエアゾール製品。
【請求項８】
前記開放手段が前記エアゾールバルブのステムに連結される重錘部である請求項１記載のエアゾール製品。
【請求項９】
前記重錘部の下部に係止部が形成されるとともに、該係止部と係合する係合部が形成される肩カバーが前記エアゾール容器の頂部に固着されてなる請求項８記載のエアゾール製品。
【請求項１０】
前記エアゾールバルブの開放動作を阻止する閉鎖手段を備えてなる請求項１、２、３、４、５、６、７、８または９記載のエアゾール製品。
【発明の詳細な説明】
【０００１】
【発明の属する技術分野】
本発明はエアゾール製品に関する。さらに詳しくは、エアゾール容器を振ることにより内容物（エアゾール組成物）を噴射することができるエアゾール製品に関する。
【０００２】
【従来の技術および発明が解決しようとする課題】
従来のエアゾール製品は、エアゾール容器のエアゾールバルブのステムに嵌着した噴射部材（ボタン、スパウトまたはトリガー）を指で操作して、内容物を噴射させるようにしている。このため、エアゾール容器の容器本体の大きさや噴射部材の形状、さらには使用者の手の大きさなどにより噴射操作がしにくいという問題がある。
【０００３】
これに対し、指で噴射部材を操作せずにエアゾール容器を傾けるだけで内容物を噴射することができるエアゾール製品がある（実公平２−４８０６２号公報参照）。該エアゾール製品は、噴射部材を操作する必要がないため、噴射操作が簡単であるが、容器が少しでも傾くと噴射するため誤って噴射させるおそれがある。また、エアゾール製品を保管するときは、該製品が転倒したり傾いたときに噴射しないようにストッパーを設ける必要がある。さらにエアゾール製品を傾けたとき噴射口も傾くため、該製品の軸線方向とは異なる方向に噴射して、所望の噴射部位に正確に噴射し難いという問題がある。
【０００４】
本発明は、叙上の事情に鑑み、操作が簡単で、かつ容易に内容物を噴射させることができるエアゾール製品を提供することを目的とする。
【０００５】
【課題を解決するための手段】
本発明のエアゾール製品は、容器本体および該容器本体の開口部に固着されるエアゾールバルブからなるエアゾール容器の内部に内容物が充填されているエアゾール製品であって、前記エアゾール容器を振ることにより生じる慣性力により、前記エアゾールバルブを開放させる開放手段を備えてなることを特徴とする。
【０００６】
【発明の実施の形態】
以下、添付図面に基づいて本発明のエアゾール製品を説明する。
【０００７】
実施の形態１
図１に示されるように、本発明の実施の形態１にかかわるエアゾール製品は、エアゾール容器１および該エアゾール容器１に装着される開放手段２から構成されている。
【０００８】
前記エアゾール容器１は、本発明において、とくに限定されるものではなく、容器本体３が一重構造である一般的なエアゾール容器、容器本体３とその内部に収納される収縮可能な内部容器からなる二重構造エアゾール容器または容器本体３とその内面に摺動自在に設けられるピストンからなるピストン型エアゾール容器などから、内部に充填される内容物の種類により適宜選定することができる。この容器本体３としては、アルミニウム製容器、ブリキ製容器などの金属製容器またはポリエチレンテレフタレート（ＰＥＴ）やポリブチレンテレフタレート（ＰＢＴ）などの樹脂製容器、ガラス製容器などの耐圧性容器などを用いることができる。
【０００９】
また、本実施の形態１においては、前記容器本体３の開口部に固着されるエアゾールバルブ４には、ステム５を傾けるとバルブを開放するティルト方式のバルブが用いられている。たとえばこのエアゾールバルブ４としては、容器本体３の上端開口部に形成されるビード部にガスケットを介して取り付けられるマウンティングカップ６と該マウンティングカップ６の中央内部に支持される噴射バルブとからなるものを用いることができる。該噴射バルブは、ハウジングと、該ハウジング内に配設され、連通孔が形成された前記ステム５と、該ステム５を外方へ付勢するスプリングと、前記ステム５の外周に嵌装されるステムラバーとから構成されている。
【００１０】
前記開放手段２としては、前記エアゾール容器１を振ることにより生じる慣性力により、前記エアゾールバルブ４の噴射バルブを開放させるものであれば、本発明では、とくに限定されるものではないが、前記容器本体３の軸方向に移動可能な移動部材と該移動部材に連動して作動する作動部材とから構成されるものを用いることができる。本実施の形態１においては、前記ステム５に嵌着され、外周に係合部９が形成されている作動部材である棒状の噴射部材８と該噴射部材８に外装される移動部材であるリング部材７とから構成されている。
【００１１】
本実施の形態１では、図２に示されるように、容器本体３を手１０で把持した状態で上下または左右に振ったときの慣性力により、リング部材７が移動して、噴射部材８の係合部９に衝突する。このときの衝突力で噴射部材８とともにステム５を傾斜させるため、バルブが開放されて内容物が噴射される。また、本実施の形態１では、図３に示されるように、容器本体３を手１０で把持した状態で前後に振ったときも、前述と同様に慣性力により、リング部材７が移動して、噴射部材８の係合部９に衝突するため、このときの衝突力でステム５が傾斜し、バルブを開放させて内容物を噴射させることができる。本実施の形態１では、リング部材７に働く慣性力を利用しているため、リング部材７が軽い材質では、大きな慣性力を得ることができず、ジュラコンなどの高密度の樹脂や金属などの重い材質から作製するのが好ましい。また、本実施の形態１では、衝突力を強くするために、リング部材７と容器本体３とのあいだにスプリングなどの弾性体を設けることができる。
【００１２】
なお、振る力が強すぎると、リング部材７が係合部９と衝突する力が強くなりすぎて噴射部材８がステム５から抜けるおそれがあるとともに、誤って指で噴射部材８を傾けて内容物を噴射させてしまうおそれがあるので、本実施の形態１では、開放手段２を覆うように、本体カバー１１と該本体カバー１１に固着される上部カバー１２からなる保護カバー１３をエアゾール容器１の頂部に嵌着している。また、かかる保護カバー１３を嵌着させることにより、リング部材７が保護カバー１３に案内されて、リング部材７の移動が容器本体３の軸線と同じ方向に制限されるため、ステム５の傾斜方向が一定となるとともに、噴射方向を一定にさせることもできる。また、エアゾール製品を傾けたり、横倒ししただけでは移動部材は移動しないため、誤って噴射してしまうことがない。
【００１３】
また、本発明においては、エアゾールバルブの開放と閉鎖（ロック）を切り換えることができるように、開放動作を阻止する閉鎖手段を備えることもできる。たとえば本実施の形態１では、閉鎖手段として、図４〜５に示されるように、本体カバー１１の下部位置に形成される支持孔１５ａと周方向スリット１５ｂにそれぞれ一端が支持されるとともに、他端が突出し、中央部が噴射部材８の半周に巻き回される閉鎖レバー１６が用いられている。また、この閉鎖レバー１６には、屈曲させやすくするために屈曲部１７が形成されている。図５に示す閉鎖レバー１６の位置Ａにおいては、半月状の中央部１８が噴射部材８の外周位置に配置されているため、リング部材７が移動して、噴射部材８の係合部９に衝突しても、噴射部材８は傾斜することができない。このため、バルブは開放することができない。これに対し、前記閉鎖レバー１６を図５に示されるように、Ｂの位置に移動させると、噴射部材８は傾斜可能になるので、リング部材７の慣性力により噴射部材８が傾斜してバルブを開放することができる。
【００１４】
なお、前記閉鎖手段は閉鎖レバー１６に限定されるものではなく、図６に示されるように、上部カバー１２の内壁に形成される閉鎖突起１９とすることもできる。図６における閉鎖突起１９の位置では、リング部材７が移動して、噴射部材８の係合部９に衝突しても、噴射部材８は閉鎖突起１９により拘束されているため、噴射部材８は傾斜することができない。これに対し、回転自在な保護カバー１３を回転させて、閉鎖突起１９による係合部９の拘束を解除すると、リング部材７の慣性力により噴射部材８は傾斜可能になり、バルブを開放することができる。
【００１５】
また、前記閉鎖手段は、バルブの開放位置から閉鎖位置に切り換えることにより、バルブが開放され内容物が噴射されている状態を停止させる停止手段として用いることもできる。
【００１６】
実施の形態２
つぎに本発明の実施の形態２を説明する。本実施の形態２は、エアゾール容器の内部に開放手段を設けるようにしている。この開放手段２１としては、図７〜８に示されるように、前記移動部材がエアゾール容器２２内部の底部２３に配置されるリング部材２４であり、前記作動部材が容器本体２５に固着されるエアゾールバルブ２６のハウジング２７から該エアゾール容器２５の底部２３まで垂下される弁棒２８であるものが用いられている。この弁棒２８は、図８に示されるように、上端部に突起２９が形成され、前記ハウジング２７の孔２７ａを通し、ラバーパッキン３０を介して支持されており、下端部の外周に係合部３１が形成されている。また、前記突起２９とステム３２とのあいだに配設されるスプリング３３の付勢力により、突起２９がラバーパッキン３０に押し付けられてエアゾールバルブ２６は常時シールされている。なお、図７において、３４は噴射部材であり、３５は容器本体２５を振ったときに噴射部材３６がステム３２から抜け飛ばないように装着した保護キャップである。また、図８において、３６はマウンティングカップである。本実施の形態２では、衝突力を強くするために、リング部材２４と底部２３とのあいだにスプリングなどの弾性体を設けることもできる。
【００１７】
本実施の形態２では、実施の形態１と同様に容器本体２５を手で把持した状態で上下、左右または前後に振ったときの慣性力により、リング部材２４が移動して、弁棒２８の係合部３１に衝突する。このときの衝突力で弁棒２８が傾斜するため、前記突起２９が傾きラバーパッキン３０とのあいだに隙間が発生し、バルブが開放されて内容物が噴射される。また、本実施の形態２では、開放手段がエアゾール容器の内部に設けられているので、製品を振っても噴射部材の向きは変化せず、容器の軸線と同じ方向に内容物を噴射させることができる。
【００１８】
なお、前記実施の形態１と同様に、本実施の形態２において用いられる閉鎖手段としては、図９に示されるように、前記ステム３２の外周に固着され、一端を前記保護キャップ３５の下部に、所定の範囲（たとえば９０°）開口させた周方向スリット３５ａから突出させた閉鎖レバー３７が用いられている。図８および図１０（ａ）に示されるように、ステム３２の下部外筒の側面には開口３８が形成されており、リング部材２４が移動して、弁棒２８の係合部３１に衝突すると、弁棒２８の突起２９は開口３８内で傾斜できるため、バルブを開放させることができる。これに対し、前記閉鎖レバー３７をたとえば９０°回転させると、図１０（ｂ）に示されるように、ステム３２がＴ方向に回転する。これにより、リング部材２４が移動して、弁棒２８の係合部３１に衝突しても、弁棒２８（突起２９）はステム３２の下部外筒の下端に拘束され、大きく傾くことができないため、バルブは開放することができない。なお、図１０では、わかりやすくするために、閉鎖レバーおよびスプリングなどを省いている。
【００１９】
実施の形態３
つぎに本発明の実施の形態３を説明する。前記実施の形態１は、ステムを傾斜させてバルブを開放させるようにしているが、本実施の形態３では、プッシュダウン方式のバルブのステムを押し下げてバルブを開放させるようにしている。本実施の形態３は、図１１に示されるように、開放手段４１として、前記作動部材がエアゾール容器４２のエアゾールバルブのステム４３に嵌着され、外周に環状の係合部４４が形成される噴射部材４５であり、前記移動部材が該噴射部材４５の係合部４４の上部に配置されるリング部材４６であるものが用いられている。また、リング部材４６が抜け出さないように、保持する保持キャップ４７が前記エアゾール容器４２の頂部に固着されている。
【００２０】
本実施の形態３では、実施の形態１と同様に容器本体４８を手で把持した状態で上下、左右または前後に振ったとき、リング部材４６が上下に移動する。そして、リング部材４６が上から下に移動したときの慣性力により、リング部材４６が係合部４４に衝突する。このときの衝突力で噴射部材４５とともにステム４３を押し下げるため、バルブが開放されて内容物が噴射される。なお、本実施の形態３では、噴射部材４５を押し下げて噴射しているので、内容物は容器の軸線と同じ方向に噴射することができる。
【００２１】
また、本実施の形態３では、衝突力を強くするために、リング部材４６の上部にスプリングを配置することができるが、衝突力が強すぎすると、噴射部材４５の係合部４４が破損するおそれがあるため、リング部材４６とエアゾール容器４２とのあいだに緩衝用のスプリング４９が設けられている。
【００２２】
また、本実施の形態３も前記実施の形態１と同様に、エアゾールバルブの開放と閉鎖（ロック）を切り換えることができるように閉鎖手段を適宜設けることもできる。
【００２３】
実施の形態４
つぎに本発明の実施の形態４を説明する。前記実施の形態２は、弁棒を傾斜させてバルブを開放させるようにしているが、本実施の形態４では、弁棒を押し上げてバルブを開放させるようにしている。本実施の形態４は、図１２に示されるように、開放手段６１として、前記移動部材がエアゾール容器２２内部の底部２３に配置されるリング部材６２であり、前記作動部材が容器本体２５に固着されるエアゾールバルブ２６のハウジング２７から該エアゾール容器２２の底部２３まで垂下される弁棒６３であるものが用いられている。この弁棒６３は、前記弁棒２８とは係合部３１に代えて環状の突起部６４が形成されている点で異なっている。
【００２４】
本実施の形態４では、実施の形態１と同様に容器本体２５を手で把持した状態で上下、左右または前後に振ったときの慣性力により、リング部材６２が移動して、弁棒６３の係合部６４に衝突する。このときの衝突力で弁棒６３が押し上げられるため、前記突起２９（図８参照）が浮き上がりラバーパッキン３０（図８参照）とのあいだに隙間が発生し、バルブが開放されて内容物が噴射される。
【００２５】
なお、本実施の形態４では、衝突力を強くするために、リング部材６２と底部２３とのあいだにスプリング６５が設けられている。
【００２６】
また、本実施の形態４も前記実施の形態２と同様に、エアゾールバルブの開放と閉鎖（ロック）を切り換えることができるように閉鎖手段を適宜設けることもできる。
【００２７】
実施の形態５
つぎに本発明の実施の形態５を説明する。本実施の形態５における開放手段７１としては、図１３に示されるように、前記作動部材がエアゾール容器７２のエアゾールバルブ７３のステム７４に連結して垂下される延長ステム部７５であり、前記移動部材が該延長ステム部７５に外装される円筒部材７６であるものが用いられている。また、前記延長ステム部７５の下端には、円筒部材７６と衝突させるための突起７７が固着されている。
【００２８】
なお、本実施の形態５では、前記エアゾールバルブ７３のハウジング７８の下部に前記延長ステム部７５に外装される外筒７９を固着し、前記円筒部材７６の上部位置および下部位置にそれぞれスプリング８０ａ、８０ｂを配置している。このスプリング８０ａは、円筒部材７６の自重で突起７７に係合してステム７４を押し下げないようにするために配置されており、スプリング８０ｂは、容器本体８１を振ったときに慣性力とスプリングの復元力（弾性力）で円筒部材７６を移動させて、強い衝突力が得られるように配置されている。図１３において、８２は、係止突起であり、８３は係止キャップである。
【００２９】
本実施の形態５では、実施の形態１と同様に容器本体８１を手で把持した状態で上下、左右または前後に振ったときの慣性力により、円筒部材７６が移動して、延長ステム部材７５の突起７７に衝突する。このときの衝突力で延長ステム部材７５が押し下げられて、ステムラバー８４によりシールされていたステム７４の連通孔８５が開口し、バルブが開放されて内容物が噴射される。
【００３０】
また、本実施の形態５も前記実施の形態１と同様に、エアゾールバルブの開放と閉鎖（ロック）を切り換えることができるように閉鎖手段を適宜設けることもできる。
【００３１】
実施の形態６
つぎに本発明の実施の形態６を説明する。これまでの実施の形態における開放手段は、移動部材と作動部材から構成されているが、本実施の形態６における開放手段は、図１４に示されるように、エアゾール容器９２のエアゾールバルブ９３のステム９４に噴射部材９５を介して連結される重錘部９６とされている。この重錘部９６として、下部カバー９７、上部カバー９８および両カバー９７、９８とのあいだに組み込まれた重錘９９からなるものが用いられている。
【００３２】
本実施の形態６では、前記エアゾールバルブは、ティルト方式のバルブであって、図１５に示されるように、容器本体１００を手１０１で把持した状態で上下または左右に振ると、慣性力により、重錘部９６を傾かせるとともに、ステム９４を傾かせてバルブを開放し、内容物を噴射させるようにしている。
【００３３】
なお、振る力が強すぎると、ステム９４の支持部が破損するおそれがあるとともに、誤って指で重錘部９６を傾けて内容物を噴射させてしまうおそれがあるので、本実施の形態６では、図１４〜１５に示されるように、重錘部９６の下部に環状の爪などの係止部１０２を形成するとともに、該係止部１０２と係合する係合部１０３が形成される肩カバー１０４を前記エアゾール容器９２の頂部に固着させるようにしている。また、かかる係止部１０２が係合部１０３に係合することにより、重錘部９６の傾動角度が制限されるため、ステム９４の傾斜方向が一定となり、噴射方向を所定の範囲内にさせることもできる。
【００３４】
なお、前記実施の形態１と同様に、本実施の形態６において用いられる閉鎖手段としては、図１６〜１７に示されるように、重錘部９６と肩カバー１０４とのあいだに挿入される閉鎖リング１１０とされている。この閉鎖リング１１０は、洗濯ばさみのように２つの半月部１１１がピン１１２に回動自在に支持されており、爪１１３をつまむと、半月部１１１が開くようにされている。図１６に示されるように、閉鎖リング１１０が挿入されている状態では、重錘部９６は傾斜できないので、バルブは開放することができない。これに対し、爪１１３を操作して、閉鎖リング１１０を取り除くと、重錘部９６の慣性力により噴射部材９５が傾斜してバルブを開放することができる。
【００３５】
【発明の効果】
以上説明したとおり、本発明によれば、慣性力を利用しているため、操作が簡単で、かつ容易に内容物を噴射させることができる。
【００３６】
また、開放手段を容器の内部に設けることにより、噴射方向が容器の軸と同一線上になるため、噴射方向を認識しやすく、正確に噴射することができる。
【図面の簡単な説明】
【図１】本発明の実施の形態１にかかわるエアゾール製品を示す要部断面図である。
【図２】図１のエアゾール製品の使用例を示す説明図である。
【図３】図１のエアゾール製品の他の使用例を示す説明図である。
【図４】実施の形態１において、閉鎖手段として閉鎖レバーを用いたエアゾール製品を示す要部断面図である。
【図５】図４のＩ−Ｉ線断面図である。
【図６】他の閉鎖手段として閉鎖突起を用いたエアゾール製品を示す要部断面図である。
【図７】本発明の実施の形態２にかかわるエアゾール製品を示す要部断面図である。
【図８】図７のエアゾールバルブを示す拡大断面図である。
【図９】実施の形態２において、閉鎖手段として閉鎖レバーを用いたエアゾール製品を示す要部断面図である。
【図１０】図９の閉鎖レバーによるステムと弁棒との関係を説明する図である。
【図１１】本発明の実施の形態３にかかわるエアゾール製品を示す要部断面図である。
【図１２】本発明の実施の形態４にかかわるエアゾール製品を示す要部断面図である。
【図１３】本発明の実施の形態５にかかわるエアゾール製品を示す要部断面図である。
【図１４】本発明の実施の形態６にかかわるエアゾール製品を示す要部断面図である。
【図１５】図１４のエアゾール製品の使用例を示す説明図である。
【図１６】実施の形態６において、閉鎖手段として閉鎖リングを用いたエアゾール製品を示す要部断面図である。
【図１７】図１６の閉鎖リングを示す平面図である。
【符号の説明】
１、２２、４２、７２、９２　　エアゾール容器
２、２１、４１、６１、７１、９１　　開放手段
３、２５、４８、８１、１００　　容器本体
４、２６、７３、９３　　エアゾールバルブ
５、３２、４３、７４、９４　　ステム
６、３６　　マウンティングカップ
７、２４、４６、６２　　リング部材
８、３４、４５、９５　　噴射部材
９、４４、３１、８２、１０３　　係合部
１０、１０１　　手
１１　　本体カバー
１２　　上部カバー
１３　　保護カバー
１５ａ　支持孔
１５ｂ、３５ａ　周方向スリット
１６、３７　　閉鎖レバー
１７　　屈曲部
１８　　中央部
１９　　閉鎖突起
２３　　底部
２７、７８　　ハウジング
２８、６３　　弁棒
２９、７７　　突起
３０　　ラバーパッキン
３３、４９、６５、８０ａ、８０ｂ　スプリング
３５　　保護キャップ
３８　　開口
４７　　保持キャップ
６４　　突起部
７５　　延長ステム部
７６　　円筒部材
７９　　外筒
８２　　係止突起
８３　　係止キャップ
８４　　ステムラバー
８５　　連通孔
９６　　重錘部
９７　　下部カバー
９８　　上部カバー
９９　　重錘
１０２　　係止部
１０４　　肩カバー
１１０　　閉鎖リング
１１１　　半月部
１１２　　ピン
１１３　　爪
【図１】
2004050089.tif 000003
【図２】
2004050089.tif 000004
【図３】
2004050089.tif 000005
【図４】
2004050089.tif 000006
【図５】
2004050089.tif 000007
【図６】
2004050089.tif 000008
【図７】
2004050089.tif 000009
【図８】
2004050089.tif 000010
【図９】
2004050089.tif 000011
【図１０】
2004050089.tif 000012
【図１１】
2004050089.tif 000013
【図１２】
2004050089.tif 000014
【図１３】
2004050089.tif 000015
【図１４】
2004050089.tif 000016
【図１５】
2004050089.tif 000017
【図１６】
2004050089.tif 000018
【図１７】
2004050089.tif 000019